(57)【要約】【課題】手荒れを起こしにくく、米飯汚れに対して優れた洗浄性を示す洗浄剤組成物を提供する。【解決手段】（Ａ）α−アミラーゼを含有し、上記（Ａ）α−アミラーゼの最大活性ｐＨが７未満であり、ｐＨが５〜７であることを特徴とする洗浄剤組成物。【選択図】なし【特許請求の範囲】
【請求項１】
（Ａ）α−アミラーゼを含有し、
前記（Ａ）α−アミラーゼの最大活性ｐＨが７未満であり、
ｐＨが５〜７であることを特徴とする洗浄剤組成物。
【請求項２】
前記（Ａ）α−アミラーゼの至適ｐＨがｐＨ５．５〜６．５の領域をすべて含み、かつ、至適温度が６０〜８０℃の領域をすべて含む請求項１に記載の洗浄剤組成物。
【請求項３】
前記（Ａ）α−アミラーゼの至適ｐＨがｐＨ５〜７の領域をすべて含み、かつ、至適温度が４０〜８０℃の領域をすべて含む請求項１又は２に記載の洗浄剤組成物。
【請求項４】
前記（Ａ）α−アミラーゼの含有量が１〜５重量％である請求項１〜３のいずれかに記載の洗浄剤組成物。
【請求項５】
さらに（Ｂ）安定化剤を含有し、
前記（Ｂ）安定化剤として、カルシウム化合物、ナトリウム化合物、多価アルコール及び多価カルボン酸からなる群から選択される少なくとも一種の化合物を含む請求項１〜４のいずれかに記載の洗浄剤組成物。
【請求項６】
前記（Ａ）α−アミラーゼの等電点が、４．７以上である請求項１〜５のいずれかに記載の洗浄剤組成物。
【請求項７】
請求項１〜６のいずれかに記載の洗浄剤組成物を含むことを特徴とする浸漬用洗浄剤。
【請求項８】
請求項１〜６のいずれかに記載の洗浄剤組成物を含むことを特徴とする食器洗浄機用洗浄剤。
【発明の詳細な説明】
【技術分野】
【０００１】
本発明は、洗浄剤組成物、浸漬用洗浄剤及び食器洗浄機用洗浄剤に関する。
【背景技術】
【０００２】
ホテル、レストラン等においては、作業の効率化、衛生管理などの観点から、使用後の食器又は調理器具の洗浄に自動食器洗浄機等の自動洗浄機が用いられている。しかしながら、被洗浄物に固着している強固な汚れは、自動洗浄機での洗浄が困難な場合があり、予め汚れを軽く落とすなどの作業が必要となる。そこで、自動洗浄機用洗浄剤組成物の洗浄性を向上することができる技術が望まれている。
【０００３】
自動食器洗浄機による洗浄は油汚れを容易に洗浄することができるが、米飯汚れについては、その状態により洗浄しやすさが大きく変わるため、米飯汚れについて充分な洗浄性を発揮させることは難しい。米飯汚れは、長時間の予備浸漬によって洗浄しやすくなるが、ホテル、レストラン等では短時間で洗浄を終わらせることが求められるため、長時間の予備浸漬なしに米飯汚れを洗浄できる洗浄剤が求められていた。
【０００４】
そのような洗浄剤として、例えば（Ａ）炭素数８〜１８のアルキル基を２つ有するジアルキルスルホサクシネート又はその塩を５５〜７５重量％、（Ｂ）ジエチレングリコールモノブチルエーテル０．５〜５０重量％及び水を含有する食器用浸漬洗浄剤組成物が開示されている（特許文献１）。
【０００５】
また、（イ）ポリオキシエチレン・ポリオキシプロピレンアルキルエーテルと（ロ）トリメチロールプロパンのエチレンオキサイド・プロピレンオキサイド付加物およびグリセリンのエチレンオキサイド・プロピレンオキサイド付加物の少なくとも一方を（イ）：（ロ）＝３：１〜２０：１の質量比で配合してなる非イオン界面活性剤（Ａ）を１〜１０重量％、アルカノールアミン（Ｂ）を１０〜３０重量％、酵素（Ｃ）を０．１〜５重量％と、キシレンスルホン酸塩およびクメンスルホン酸塩の少なくとも一方からなる可溶化剤（Ｄ）、カルシウム添加剤及び水とを含有し、２５℃におけるｐＨが８．０〜１０．０の範囲に設定された硬質表面用液体洗浄剤組成物が開示されている（特許文献２）。
【先行技術文献】
【特許文献】
【０００６】
【特許文献１】特開２０１６−２１６５４０号公報
【特許文献２】特開２０１６−１７２８１４号広報
【発明の概要】
【発明が解決しようとする課題】
【０００７】
しかしながら、特許文献１に記載の洗浄剤組成物であっても、浸漬時間がほとんど確保できない場合には、米飯汚れに対して充分な洗浄性を発揮させることができないという問題があった。さらに、特許文献２に記載の洗浄剤組成物は、ｐＨが８．０〜１０．０であるため手荒れの原因となるという問題があった。
米飯汚れに対する洗浄力を高めるため、塩素系漂白剤や酸素系漂白剤等をさらに添加する方法も検討されているが、これらの漂白剤成分もアルカリ成分であり、手荒れの問題は解消されていない。
【０００８】
本発明は上記問題点を解決するためになされたものであり、本発明の目的は、手荒れを起こしにくく、米飯汚れに対して優れた洗浄性を示す洗浄剤組成物を提供することである。
【課題を解決するための手段】
【０００９】
すなわち、本発明の洗浄剤組成物は、（Ａ）α−アミラーゼを含有し、上記（Ａ）α−アミラーゼの最大活性ｐＨが７未満であり、ｐＨが５〜７であることを特徴とする。
なお、（Ａ）α−アミラーゼの最大活性ｐＨは、ＪＩＳ  Ｋ  ７００１（１９９０）に準拠して測定される液化力試験において、活性値が最大となるときのｐＨである。
【００１０】
本発明の洗浄剤組成物は（Ａ）α−アミラーゼの最大活性ｐＨが７未満であるため、手荒れを起こしにくいｐＨ５〜７で（Ａ）α−アミラーゼが高い活性を示す。従って、手荒れを起こしにくく、かつ、米飯汚れに対して高い洗浄性を示す。
【００１１】
本発明の洗浄剤組成物において、上記（Ａ）α−アミラーゼの至適ｐＨがｐＨ５．５〜６．５の領域をすべて含み、かつ、至適温度が６０〜８０℃の領域をすべて含むことが望ましい。
なお、本明細書において（Ａ）α−アミラーゼの至適ｐＨとは、ＪＩＳ  Ｋ  ７００１（１９９０）に準拠して測定される液化力試験において、活性値が１００％となる温度及びｐＨから、温度を固定してｐＨを変動させた際の活性値が５０％以上となるｐＨである。
また、本明細書において（Ａ）α−アミラーゼの至適温度とは、ＪＩＳ  Ｋ  ７００１（１９９０）に準拠して測定される液化力試験において、活性値が１００％となる温度及びｐＨから、ｐＨを固定して温度を変動させた際の活性値が５０％以上となる温度である。
【００１２】
本発明の洗浄剤組成物において、上記（Ａ）α−アミラーゼの至適ｐＨがｐＨ５〜７の領域をすべて含み、かつ、至適温度が４０〜８０℃の領域をすべて含むことが望ましい。
【００１３】
本発明の洗浄剤組成物において、上記（Ａ）α−アミラーゼの含有量は１〜５重量％であることが望ましい。
（Ａ）α−アミラーゼの含有量が１重量％未満であると、米飯汚れに対する洗浄性が低下してしまうことがある。一方、（Ａ）α−アミラーゼの含有量が５重量％を超えたとしても、米飯汚れに対する洗浄性はほとんど変わらないため、これ以上（Ａ）α−アミラーゼを添加する必要はない。
【００１４】
本発明の洗浄剤組成物は、さらに（Ｂ）安定化剤を含有し、上記（Ｂ）安定化剤として、カルシウム化合物、ナトリウム化合物、多価アルコール及び多価カルボン酸からなる群から選択される少なくとも一種の化合物を含むことが望ましい。
（Ｂ）安定化剤として上記化合物を含むと、（Ａ）α−アミラーゼが洗浄剤組成物中で安定して洗浄性を発揮することができる。
上記化合物は２種以上併用することが望ましく、３種以上併用することがより望ましく、４種すべてを併用することがさらに望ましい。
【００１５】
本発明の洗浄剤組成物において、上記（Ａ）α−アミラーゼの等電点は４．７以上であることが望ましい。
【００１６】
本発明の浸漬用洗浄剤は、本発明の洗浄剤組成物を含むことを特徴とする。
本発明の浸漬用洗浄剤は、本発明の洗浄剤組成物を含んでなるため、手荒れを起こしにくく、米飯汚れを容易に洗浄することができる。
【００１７】
本発明の食器洗浄機用洗浄剤は、本発明の洗浄剤組成物を含むことを特徴とする。
本発明の食器洗浄機用洗浄剤は、本発明の洗浄剤組成物を含んでいるため、米飯汚れに対して優れた洗浄性を発揮することができる。
【発明の効果】
【００１８】
本発明の洗浄剤組成物は、手荒れを起こしにくく、米飯汚れに対して優れた洗浄性を示す。
【発明を実施するための形態】
【００１９】
本発明の洗浄剤組成物は、（Ａ）α−アミラーゼを含有し、上記（Ａ）α−アミラーゼの最大活性ｐＨが７未満であることを特徴とする。
【００２０】
（Ａ）α−アミラーゼの最大活性ｐＨが７を超えるものであると、手荒れを起こしにくい条件において、米飯汚れに対して充分な洗浄性を発揮することができない。
（Ａ）α−アミラーゼの最大活性ｐＨは５以上であることが望ましく、５．８以上であることがより望ましく、６．０以上であることがさらに望ましい。
【００２１】
本発明の洗浄剤組成物において、（Ａ）α−アミラーゼの至適ｐＨはｐＨ５．５〜６．５の領域をすべて含むことが望ましい。
（Ａ）α−アミラーゼの至適ｐＨがｐＨ５．５〜６．５の領域をすべて含むと、手荒れを起こしにくい条件において（Ａ）α−アミラーゼが米飯汚れに対して優れた洗浄性を発揮することができる。
一方、（Ａ）α−アミラーゼの至適ｐＨが上記条件を満たさない場合、洗浄剤組成物を使用する際にｐＨを制御する必要が生じ、工程管理が煩雑となりやすい。また外的要因によって洗浄剤組成物のｐＨが変動した際に、α−アミラーゼの洗浄性が低下しやすい。
【００２２】
本発明の洗浄剤組成物において、（Ａ）α−アミラーゼの至適温度は６０〜８０℃の領域をすべて含むことが望ましい。
（Ａ）α−アミラーゼの至適温度が上記条件を満たさない場合、米飯汚れの洗浄によく用いられる温度領域（通常６０〜８０℃）のどこかに、米飯汚れに対する洗浄性が低下する領域が存在することとなるため、洗浄時の温度管理が煩雑となる。
【００２３】
本発明の洗浄剤組成物においては、（Ａ）α−アミラーゼの至適ｐＨがｐＨ５〜７の領域をすべて含みかつ至適温度が４０〜８０℃の領域をすべて含むことがより望ましい。
至適ｐＨのｐＨ領域が５〜７の領域をすべて含む場合、より広いｐＨ領域で米飯汚れに対する高い洗浄性を発揮することができる。また至適温度の領域が４０〜８０℃の領域をすべて含む場合、より広い温度領域で米飯汚れに対する高い洗浄性を発揮できる。
【００２４】
本発明の洗浄剤組成物において、ｐＨは５〜７であり、ｐＨ６〜７であることが望ましく、ｐＨ６〜６．５であることがより望ましい。
ｐＨが５未満又は７を超える場合には、（Ａ）α−アミラーゼの活性が低下し、米飯汚れを充分に洗浄できないことがある。
【００２５】
本発明の洗浄剤組成物において、（Ａ）α−アミラーゼの含有量は１〜５重量％であることが望ましい。
（Ａ）α−アミラーゼの含有量が１重量％未満であると、米飯汚れに対する洗浄性が低下してしまうことがある。一方、（Ａ）α−アミラーゼの含有量が５重量％を超えたとしても、米飯汚れに対する洗浄性はほとんど変わらないため、これ以上（Ａ）α−アミラーゼを添加する必要はない。
【００２６】
本発明の洗浄剤組成物において、（Ａ）α−アミラーゼの等電点は４．７以上であることが望ましい。また（Ａ）α−アミラーゼの等電点は５未満であることが望ましい。
また、（Ａ）α−アミラーゼの凝集を抑制する観点から、（Ａ）アミラーゼの等電点は、５未満、又は、７を超えることが望ましい。
【００２７】
本発明の洗浄剤組成物は、さらに（Ｂ）安定化剤を含有することが望ましい。
（Ｂ）安定化剤としては、カルシウム化合物、ナトリウム化合物、多価アルコール及び多価カルボン酸等が挙げられる。
（Ｂ）安定化剤の含有量は特に限定されないが、洗浄剤組成物の重量に基づいて２０重量％以上であることが望ましく、５０重量％以上であることがより望ましい。
（Ｂ）安定化剤の含有量が２０重量％未満であると、（Ａ）α−アミラーゼが洗浄剤組成物中で安定せず、米飯汚れに対する洗浄力が低下してしまうことがある。
【００２８】
本発明の洗浄剤組成物は、（Ｂ）安定化剤として、カルシウム化合物、ナトリウム化合物、多価アルコール及び多価カルボン酸からなる群から選択される少なくとも一種の化合物を含むことが望ましい。
（Ｂ）安定化剤として上記化合物を含むと、（Ａ）α−アミラーゼが洗浄剤組成物中で安定して洗浄性を発揮することができる。
上記化合物は２種以上併用することが望ましく、３種以上併用することがより望ましく、４種すべてを併用することがさらに望ましい。
【００２９】
カルシウム化合物としては、塩化カルシウム、水酸化カルシウム、炭酸カルシウム、炭酸水素カルシウム、硝酸カルシウム、硫酸カルシウム、酢酸カルシウム等が挙げられる。
カルシウム化合物の含有量は特に限定されないが、洗浄剤組成物の重量に基づいて０．０５〜５重量％であることが望ましい。
【００３０】
ナトリウム化合物としては、塩化ナトリウム、臭化ナトリウム、硫酸ナトリウム、酢酸ナトリウム等が挙げられる。
ナトリウム化合物の含有量は特に限定されないが、洗浄剤組成物の重量に基づいて０．０５〜５重量％であることが望ましい。
【００３１】
多価アルコールとしては、グリセリン、プロピレングリコール等が挙げられる。
多価アルコールの含有量は特に限定されないが、洗浄剤組成物の重量に基づいて１０〜５０重量％であることが望ましい。
【００３２】
多価カルボン酸としては、クエン酸等が挙げられる。
多価カルボン酸の含有量は特に限定されないが、洗浄剤組成物の重量に基づいて０．１〜１０重量％であることが望ましい。
【００３３】
本発明の洗浄剤組成物は、（Ｂ）安定化剤として、塩化カルシウム、塩化ナトリウム、グリセリン及びクエン酸からなる群から選択される少なくとも一種の化合物を含むことが望ましく、２種以上の化合物を含むことがより望ましく、３種以上の化合物を含むことがさらに望ましく、４種すべての化合物を含むことが特に望ましい。
【００３４】
本発明の洗浄剤組成物には、その他の成分として、水、ｐＨ調整剤、粘度調整剤、香料、色素等を含んでいてもよい。
水としては、水道水、蒸留水、イオン交換水、超純水等が挙げられる。
ｐＨ調整剤としては苛性ソーダ等が挙げられる。
【００３５】
本発明の洗浄剤組成物は、手荒れを起こしにくく、米飯汚れの洗浄性に優れているため、浸漬用洗浄剤や食器洗浄機用洗浄剤として用いることができる。
【００３６】
本発明の浸漬用洗浄剤は、本発明の洗浄剤組成物を含むことを特徴とする。
本発明の浸漬用洗浄剤は、本発明の洗浄剤組成物を含んでなるため、手荒れを起こしにくく、米飯汚れを容易に洗浄することができる。
【００３７】
本発明の食器洗浄機用洗浄剤は、本発明の洗浄剤組成物を含むことを特徴とする。
本発明の食器洗浄機用洗浄剤は、本発明の洗浄剤組成物を含んでいるため、米飯汚れに対して優れた洗浄性を発揮することができる。
【実施例】
【００３８】
以下に本発明をより具体的に説明する実施例を示すが、本発明はこれらの実施例に限定されるものではない。
【００３９】
［洗浄剤組成物の作製］
表１に示す処方に従って（Ａ）α−アミラーゼ及び（Ｂ）安定化剤を混合し、さらに各洗浄剤組成物が表１に示すｐＨとなるように、その他の成分（Ｃ）である水及びｐＨ調整剤としての苛性ソーダの添加量を調整して、実施例１〜１２及び比較例１〜５に係る洗浄剤組成物を作製した。洗浄剤組成物の処方並びに使用したα−アミラーゼの最大活性ｐＨ及び等電点を表１に示す。
ただし、α−アミラーゼの最大活性ｐＨ及び等電点は、それぞれ５回測定した際の平均値である。また、（Ａ−１）について測定した至適ｐＨは５〜７であり、至適温度は４０〜８０℃であった。
なお、（Ａ−３）及び（Ａ−５）については、α−アミラーゼの分散液を調整する段階で、分散液のｐＨを調整しても分散液の濁りが解消されなかったため、等電点を測定することができず、表１には測定不能と記載している。
【００４０】
［洗浄性評価］
０．１ｇの米飯汚れを陶器皿に塗布し、１日乾燥した。これを実施例１〜１２及び比較例１〜５に係る洗浄剤組成物の１％溶液（４５℃）に浸漬させた。１０分経過後に陶器皿を取り出して水道水ですすぎ、残った米飯汚れをヨウ素染色液で染色し、米飯汚れの状態を目視で判断し、以下の基準に従って洗浄性を評価した。
○：米飯汚れがほとんど確認できない
△：米飯汚れが少し確認できる
×：米飯汚れがはっきりと確認できる
【００４１】
【表１】
2019094420.tif 000002
なお、α−アミラーゼとしては、以下の物を使用した。
（Ａ−１）：エイチビィアイ（株）製、フクタミラーゼ（登録商標）５０
（Ａ−２）：ノボザイムスジャパン（株）製、ステインザイム（登録商標）１２Ｔ
（Ａ−３）：ノボザイムスジャパン（株）製、ターマミル（登録商標）１２０Ｔ
（Ａ−４）：ノボザイムスジャパン（株）製、ターマミル（登録商標）ウルトラ３００Ｌ
（Ａ−５）：ノボザイムスジャパン（株）製、デュラミル（登録商標）１２０Ｔ
（Ａ−６）：デュポン（株）製、ＥＦＦＥＣＴＥＮＺ  Ｓ１００
【００４２】
表１の結果より、本発明の洗浄剤組成物は手荒れを起こしにくく、米飯汚れの洗浄性に優れていることがわかった。